(57)【特許請求の範囲】
【請求項１】
電力ケーブルの端末処理や碍子として使用されるポリマー材料で形成された絶縁体であって、
上記絶縁体は、軸部と、該軸部に取り付けられ、軸部との間に深い溝を有する笠状の深溝笠とを備えており、
上記深溝笠は、その開口部側に、該深溝笠の最大内径より小さい内径を有する筒状部分を備え、
上記深溝笠の内側の底面に、該笠の中心軸から離れる程深溝笠の開口部との距離が短くなるように形成されたテーパー部が設けられ、また、該底面の周囲には凹部が設けられ、該凹部と上記テーパー部が接する部分に鋭角状の角部もしくは凸部が設けられている
ことを特徴とする深溝笠付き絶縁体。
【請求項２】
深溝笠内の軸部の表面に円環状の突起部を形成し、該突起部により、深溝笠の開口部から吹き込む汚損物が上記凹部と筒状部の間の領域に付着するのを抑制した
ことを特徴とする請求項１に記載の深溝笠付き絶縁体。
【請求項３】
軸部上の深溝笠の開口部に対向する位置に水平笠を設け、該水平笠により、深溝笠の開口部から吹き込む汚損物が上記凹部と筒状部の間の領域に付着するのを抑制した
ことを特徴とする請求項１または２に記載の深溝笠付き絶縁体。
【請求項４】
上記筒状部分の開口部側の端部が、その径が開口部側に向かって次第に大きくなるように末広がり状に形成されている
ことを特徴とする請求項１，２または請求項３に記載の深溝笠付き絶縁体。
【請求項５】
上記深溝笠の肩部分に深溝笠の最大外径より大きな径を有する水切り用のリブが設けられている
ことを特徴とする請求項１，２，３または請求項４に記載の深溝笠付き絶縁体。
【発明の詳細な説明】
【０００１】
【発明の属する技術分野】
本発明は電力ケーブルの端末処理部材やピン碍子として使用されるポリマー材料から形成される深溝笠付き絶縁体に関し、特に本発明は、耐汚損性能を向上させた深溝笠付き絶縁体に関するものである。
【０００２】
【従来の技術】
海岸や工場地帯のいわゆる汚損地区で使用される端末や碍子には、塩分や塵挨等の汚損物が表面に付着する。これがある量に達したときに霧や小雨によって湿気が加わると、端末や碍子表面の抵抗が低下し、漏洩電流が発生、またはフラッシュオーバーによって地絡事故を発生することがある。このような地域では図１７、図１８に示すような深溝笠を有する配電用端末や碍子が使用されている。
【０００３】
図１７は深溝笠を有するケーブル端末用絶縁体の一例を示し、同図の左半分は外観、右半分は断面を示している。同図において、１は深溝形笠、２は軸部、３は深溝笠１と軸部２の間に形成された溝であり、軸部２の下方からケーブル１０が挿入され、ケーブル導体が端子１１に圧着され、軸部２の内壁とケーブル絶縁体１２の間には絶縁コンパウンド等が充填される。また、１３はブラケット、１４はすずめっき軟導線である。
また、図１８は、深溝笠を有するピン碍子の一例を示し、同図の右半分は外観を示し、左半分は断面を示している。同図において、１は深溝笠、２は軸部、３は深溝笠１と軸部２の間に形成された溝であり、図１８のものでは、同心円状の２つの溝を備えている。
【０００４】
【発明が解決しようとする課題】
深溝笠はその溝が深い程、また溝の幅が狭いほどその効果が大きい。さらに風の吹き上げにより、塩分や塵埃等の汚損物が運ばれ、湿気もまた風により加わるので、風の入りにくい構造が望ましい。
ところが従来の深溝笠は型により作られるので、直または末広がり或いは浅い窪みしか作られなかった。このような形状では下方からの風の吹き込みに弱く汚損されやすい。
さらに従来の深溝笠は滴り落ちる水滴が低圧側近傍に落ちることについて充分配慮されていなかった。そのため、図１７に示すように（同図中のＰ）、端末の場合は深溝笠裾部と胴部、あるいはブラケット間で、碍子の場合は深溝笠裾部とピンの間で放電が発生し、フラッシュオーバーに至ることがある。
さらに磁器に代わるポリマー材料の場合、放電により損傷を受けやすいので、より配慮が望まれる。
【０００５】
本発明は上記した事情に鑑みなされたものであって、本発明の第１の目的は、耐汚損性能が優れ、使用中に発生する漏洩電流及びフラッシュオーバによる事故を防ぐことができる深溝笠付き絶縁体を提供することである。
本発明の第２の目的は、優れた耐汚損性能を有する形状を具備し、安価で製造が容易な有機材料から形成された深溝笠付き絶縁体を提供することである。
【０００６】
【課題を解決するための手段】
上記課題を解決するため、本発明においては、深溝笠の形状を工夫したり、深溝笠と水平笠を組み合わせることにより、深溝笠下部からの雨、塵埃等の汚損物の吹き込みを抑制したり、汚損物が深溝笠内壁の全面に付着することを防止する。これにより、漏洩電流の増加による放電を防止することができる。
特に、絶縁体として、耐汚損性に優れたシリコーンゴム、ＥＰゴム等の高分子材料（ポリマー材料）を用いることにより、従来の磁器等で形成された碍子やケーブル終端接続部の欠点であった重くて取り扱い性が悪いといった問題を解決することができる。また、これらの高分子材料は、磁器材料と異なり成形が容易であり、モールド成形や接着加工等により比較的複雑な形状を成形することが可能である。
【０００７】
特に、本発明の深溝笠付き絶縁体の材料としては、揮発性が高くまた耐候性に優れたシリコーンゴムをベース材料とし、これに耐トラッキング性を向上させるための水酸化アルミニウム（ＡＴＨ）等を所要量添加した材料等が適している。また、耐トラッキング性のＥＰゴム等も有効である。
また、シリコーンゴム等の柔軟性のある材料を使用する場合には、モールド成形等により反転形状の絶縁体を成形し、材料の柔軟性を利用して成形された絶縁体を反転させることにより、種々の形状の深溝笠付き絶縁体を形成することができる。
【０００８】
本発明においては、深溝笠付き絶縁体を次のように構成することにより上記課題を解決する。
（１）深溝笠が、その開口部側に、該深溝笠の最大内径より小さい内径を有する筒状部分を備え、上記深溝笠の内側の底面に、該笠の中心軸から離れる程深溝笠の開口部との距離が短くなるように形成されたテーパー部を設け、また、該底面の周囲に凹部を設け、該凹部と上記テーパー部が接する部分に鋭角状の角部もしくは凸部を設ける。
上記のように、深溝笠の内側の底面に、該笠の中心軸から離れる程深溝笠の開口部との距離が短くなるように形成されたテーパー部を設けることにより、深溝笠の開口部から吹き込んだ汚損物が上記テープ部で軸部方向に反射する。このため、深溝笠の内壁が上記汚損物質により汚損されることがない。また、テーパ部に付着した水滴等の汚損物は、テーパ部の表面に沿って流れ、凹部とテーパ部の間に形成された角部もしくは凸部から落下する。このため、水滴等の汚損物質により、深溝笠の内壁が汚損されることがない。
（２）上記（１）の構成において、深溝笠内の軸部の表面に先端が輪状の突起部を形成することにより、深溝笠の開口部から吹き込む汚損物が深溝笠の内壁に付着するのを抑制することができる。
（３）上記（１）（２）の構成において、軸部上の深溝笠の開口部に対向する位置に水平笠を設けることにより、深溝笠の開口部から吹き込む汚損物が深溝笠の内壁に付着するのを抑制することができる。
（４）上記（１）（２）（３）の構成において、深溝笠の開口部側に、該深溝笠の最大内径より小さい内径を有する筒状部分を設け、上記筒状部分の開口部側の端部を、その径が開口部側に向かって次第に大きくなるように末広がり状に形成する。
上記のように構成することにより、深溝笠の外面に沿って流れる水滴等の汚損物を、外側に撥ね飛ばすことができ、端末の場合は深溝笠裾部と胴部、あるいはブラケット間で、碍子の場合は深溝笠裾部とピンの間で放電が発生するのを減少させることができる。
（５）上記（１）（２）（３）（４）の構成において、深溝笠の肩部分に深溝笠の最大外径より大きな径を有する水切り用のリブを設ける。
上記のように構成することにより、深溝笠の上側に落ちた雨水等の汚損物は、水切り用のリブから深溝笠の外側に落下し、深溝笠の外壁に付着する汚損物を少なくすることができる。これにより、放電によりフラッシュオーバーに至ることが減少させることができる。
【０００９】
【発明の実施の形態】
以下、本発明の実施例について説明する。なお、以下の説明では本発明をケーブル終端処理部に適用した場合の実施例について説明するが、本発明は、ケーブル終端接続部以外に、碍子、碍管等の各種絶縁体に適用することができる。
図１は深溝笠付き絶縁体の構成例を示す図であり、同図の左側は外観、右側は断面を示している。
同図において、１は深溝笠、２は軸部、３は深溝笠１と軸部２の間に形成された溝、４は水平笠であり、溝３の形状は同図に示すように深溝笠の裾部分Ａにおいては深溝笠１と軸部２の間隔ａが狭く、深溝笠１の中間部分Ｂにおいては、深溝笠１と軸部２の間隔ｂが上記間隔ａより広くなるように形成されている。
軸部２は中空であり、下方からケーブル１０が挿入され、ケーブル導体が端子１１に圧着され、軸部２の内壁とケーブル絶縁体１２の間には絶縁コンパウンド等が充填される。また、１３はブラケット、１４はすずめっき軟導線である。
【００１０】
図１の深溝笠付き絶縁体は上記のような構造なので、漏洩距離を減少させることなく、溝内部への汚損物の侵入を抑制することができる。
すなわち、汚損物の下からの吹き上げ（角度６０°）を想定した場合、図１７に示した従来の深溝笠付き絶縁体においては図２（ａ）に示すように汚損物が同図Ｃの部分に付着するが、図１の深溝笠付き絶縁体においては図２（ｂ）に示すように同図Ｃ’部分に付着し、汚損物の付着面積が明らかに小さくなっている。
また、図１に示すように、深溝笠の中間部分Ｂにおける深溝笠１と軸部２の間隔ｂが裾部分Ａにおける間隔ａより広いので、笠全体の漏洩距離は従来品と比べ減少していない。
【００１１】
図３（ａ）は深溝笠付き絶縁体をＥＰゴムやシリコーン等の高分子材料で形成した場合を示しており、ＥＰゴムやシリコーン等の高分子材料は、磁器に比べて加工に裕度があるため、同図に示すように溝の巾を狭くした上、笠内部の漏洩距離を増すことができる。
したがって、上記高分子材料で形成した深溝笠付き絶縁体を図１に示す電力ケーブル端末処理部に適用することにより、屋外端末の汚損性能を向上させ、その適用範囲を拡大することができる。
なお、図３（ｂ）に示すように、深溝笠のＰ部の位置が溝の開口部に近くなると、同図中の角度θが大きくなり、洗浄効果に影響がでる。このため、上記Ｐ部の位置があまり溝の開口部に近づかない方がよい。
【００１２】
図４は他の深溝笠付き絶縁体の構成例を示す図であり、同図の左側は外観、右側は断面を示している。
同図において、１は深溝笠、２は軸部、３は深溝笠１と軸部２の間に形成された溝であり、溝３の内部の軸部２の表面には円環状の２つの突起部２ａが設けられ、また深溝笠１の上方に水平笠４が設けられている。その他の構成は前記図１と同様であり、１１は端子、１２はケーブル絶縁体、１４はすずめっき軟導線である。
図４の深溝笠付き絶縁体は、上記のように溝３の内部の軸部２の表面に突起部２ａを設けているので、下方側から深溝内に吹き込んだ汚損物が上記突起部２ａにより遮られ、深溝内が汚損されることがない。このため、漏洩電流の増加を抑制することができる。
なお、図４では、深溝笠１１の内側の軸部２に突起部２ａを２つ設ける場合について示したが、突起部の個数は２つに限定されるものではなく、少なくとも１つ以上の突起部を設ければよい。
【００１３】
図５は他の深溝笠付き絶縁体の構成例を示す図であり、前記と同様、同図の左側は外観、右側は断面を示している。
同図において、１は深溝笠、２は軸部、３は深溝笠１と軸部２の間に形成された溝であり、図５においては、溝３の内部の軸部２および深溝笠１の内側に円環状の突起部１ａ，２ａが設けられており、突起部１ａ，２ａは同図に示すように一部が重なり合っている。その他の構成は前記図４と同様であり、１１は端子、１２はケーブル絶縁体、１４はすずめっき軟導線である。
図５の深溝笠付き絶縁体は、上記のように突起部１ａ，２ａの一部が重なり合っているので、下方側から深溝内に汚損物が吹き込むのを抑制することができ、深溝内が汚損されることがない。このため、漏洩電流の増加を抑制することができる。
【００１４】
図６は他の深溝笠付き絶縁体の構成例を示す図であり、前記と同様、同図の左側は外観、右側は断面を示している。
同図において、１は深溝笠、２は軸部、３は深溝笠１と軸部２の間に形成された溝である。図６においては、深溝笠１の内面の全周に襞１ｂが設けられている。その他の構成は前記図５と同様であり、１１は端子、１２はケーブル絶縁体、１４はすずめっき軟導線である。
上記のように深溝笠１の内側に襞１ｂを設けているので、襞１ｂにより汚損物等により深溝笠１の内側の全面が汚損されることがなく、漏洩電流の増加を抑制することができる。なお、襞１ｂを深溝笠１内の軸部２の表面に設けてもよい。
【００１５】
図７は他の深溝笠付き絶縁体の構成例を示す図であり、前記と同様、同図の左側は外観、右側は断面を示している。
同図において、１は第１の深溝笠、２は軸部、３は第１の深溝笠１と軸部２の間に形成された溝、５は第２の深溝笠であり、第２の深溝笠５と深溝笠１は、同図に示すように両者が接触することなく重なり合っている。また、第２の深溝笠５には、内部に水等が溜まらないように水抜き穴５ａが設けられている。
図７においては、上記のように第１の深溝笠１と第２の深溝笠５を両者が接触しないように重ね合わせ、閉じた空間を形成しているので、溝３の内部に汚損物が侵入することを防ぐことができる。このため、前記実施例と同様、漏洩電流の増加を抑制することができる。
なお、上記第１の深溝笠１と第２の深溝笠５の形状としては、図８（ａ）に示すように、第２の深溝笠５の内側に深溝笠１が入り込むような形状としたり、図８（ｂ）に示すように、第２の深溝笠５を変形してもよい。
【００１６】
図９は他の深溝笠付き絶縁体の構成例を示す図である。前記と同様、同図の左側は外観、右側は断面を示しており、深溝笠１の下方に水平笠４を設けものである。
同図において、１は深溝笠、２は軸部、３は深溝笠１と軸部２の間に形成された溝、４は深溝笠１の下方に設けられた水平笠である。
水平笠４の位置は、深溝笠１の下端から深溝笠１の長さの０．５倍以内の距離に設定するのが望ましく、また、水平笠４の大きさは深溝笠１の外径の０．８倍以上にするのが望ましい。これにより、下方からの深溝笠１への汚損物の吹き込み量を抑制することができる。
【００１７】
図１０は本発明の実施例の深溝笠付き絶縁体の構成を示す図であり、同図の右側の一部は断面を示している。同図において、１は深溝笠、２は軸部、３は深溝笠１と軸部２の間に形成された溝であり、溝３の内部の軸部２には突起部２ａが設けられている。さらに、深溝笠１の下方には水平笠４が設けられている。
【００１８】
図１１は上記深溝笠１、軸部２および水平笠４を拡大した図であり、本実施例の深溝笠１は同図に示すように笠上部１−１の内径の最大値Ｄ１が下部の筒状部１−２の内径Ｄ２より大きく、その裾部１−６は末広がり形状となっている。裾部１−６を末広がり形状とすることにより、後述するように降雨の際、この部分に当たって跳ね返ったり付着した後流れ落ちる水滴を軸部２から遠ざけ、放電の発生を防止する。また、上部１−１の肩には、水切り用リブ１−７が設けられている。水切り用リブ１−７の先端は鋭角状に形成され、その最大径は深溝笠の最大外径より大きい。これにより、後述するように深溝笠の上面１−８に溜まった水滴等が流れ落ちるときに、深溝笠１の側面を通らずに落下させることができ、流れ落ちる水滴により軸部２もしくはブラケット部との間で発生する放電を防止することができる。
【００１９】
また、深溝笠１の上半分の内面は、上に行くほどその内径が大きくなるようにテーパ状に形成され、深溝笠１の内側の上面には凹部Ａが設けられている。これにより、後述するように下方からの雨、塵埃等の汚損物の吹き込みによる影響を受けない領域１−３が形成される。
さらに、上記深溝笠１の内側の上面にはテーパー部１−４が形成され、テーパー部１−４の角度θは、０°以上、軸の垂線に対して９０°以下になるように形成されている。これにより、後述するように深溝笠１の開口部からの汚損物の反射が上記領域１−３に及ばない。
【００２０】
上記テーパー部１−４と凹部Ａが接する部分には角部１−５が形成されており、この角部１−５により、後述するように深溝笠１の開口部からの雨水等の吹き込み、または結露によってこのテーパ部に付着した水滴等の汚損物が領域１−３に流れ込むのを防いでいる。なお、角部１−５を形成する代わりに、下方向に突出した凸部を設けてもよい。
深溝笠１の下方に設けられた水平笠４と深溝笠１の下端との距離は、この間での放電発生を考えると、少なくとも１５ｍｍ以上、また下方からの吹き込みを考えると５０ｍｍ以下が望ましく、水平笠４の外径は深溝笠１の内径の最小値Ｄ２以上、深溝笠１の裾部１−６の外径の最大値Ｄ３以下が望ましい。
【００２１】
図１２は降雨または結露の場合の、本実施例の深溝笠表面における水滴に流れを示す図である。
前記したように本実施例の深溝笠の上部の肩には、先端が鋭角状に形成され、その最大径が深溝笠の上部の径より大きいリブ１−７が設けられている。このため、降雨または結露により深溝笠１の上部１−８に溜まった水滴が落下するとき、水滴はリブ１−７により深溝笠表面を伝わらず、同図に示すように直接下方に落下する。
また、深溝笠１の裾部１−６が末広がりになっているので、深溝笠１の表面に付着した水滴は、同図に示すように外側に落下し、軸部２に付着することはない。さらに深溝笠１の裾部１−６に当たった水滴も遠くへ跳ねかえって落下する。
【００２２】
図１３は本実施例の深溝笠１の下方から雨等の汚損物が吹き込んだ場合を示す図である。
深溝笠１の上面には前記したようにテーパ部１−４が形成されているので、同図の矢印方向から深溝笠１内に雨等の汚損物が吹き込んだ場合、吹き込んだ汚損物は同図の矢印方向に反射し、前記した領域１−３には付着しない。また、深溝笠１の内側上面に付着した水滴は、図１２に示したようにテーパ部１−４から角部１−５に至り、同図に示すように下側に落下する。すなわち、前記した領域１−３に水滴が付着することはない。一方、深溝笠１の筒状部１−２の内壁に付着した水滴は、その内面に沿って落下し裾部１−６から、同図に示すように外側に落下する。
さらに、深溝笠１の下方に水平笠４を設けることにより、下方からの吹き込みをかなり制限することができ、深溝笠内部の汚損度合いを低下させることができる。
【００２３】
なお、前記したように、水平笠４の外径は深溝笠１の内径の最小値Ｄ２以上、深溝笠１の裾部１−６の外径の最大値Ｄ３以下が望ましい。
これは、水平笠４の外径が深溝笠の裾部１−６の外径の最大値Ｄ３より大きいと、裾部１−６から流れ落ちた水滴がそのまま水平笠４上に落下し、その時に放電を誘発することがあり、また、水平笠４の径が深溝笠１の内径の最小値Ｄ２より小さいと、吹き込みを制限する効果が低下してしまうからである。
下方からの吹き込みに対しては、深溝笠１の形状と水平笠４の組み合わせで制限できるが、深溝笠１と水平笠４の間を通る、斜め下方からの吹き込み、特に塩水注水試験のように下方斜め４５°から汚損物が吹き込む場合には、汚損物が軸部２に当たりその跳ね返りが領域１−３に付着する可能性がある。
【００２４】
そこで、本実施例では、深溝笠１の内部の軸部２に円環状の突起部２ａを設け、上記領域１−３に汚損物が付着するのを抑制する。
汚損物の斜め下方からの吹き込みによる領域１−３の跳ね返りの限界は図１４に示すように、深溝笠１の裾部１−６を通る場合は▲１▼と▲２▼、水平笠４の端部を通る場合には、▲３▼と▲４▼で表すことができる。▲１▼と▲４▼の場合は、角度α，βが大きくなると吹き込みは軸部２に当たり領域１−３に跳ね返る。▲２▼と▲３▼の場合は、角度γ，ηが小さくなると同じように領域１−３へ跳ね返る。
この跳ね返りは、図１５に示すように深溝笠１の内部に突起部２ａを設けることで防ぐことができる。
【００２５】
そのためには、上記突起部２ａの高さは図１５から、▲１▼と▲３▼の交点Ｘの位置で軸部２の最短距離ｈ以上が望ましい。このように突起部２ａの高さを選定することにより、図１６に示すように突起部２ａを超えるように吹き込んできた汚損物はテーパー部１−４に当たるので、領域１−３の方へ跳ね返ることはない。
以上のように深溝笠１の内部に突起部２ａを設けることにより斜め下方から吹き込む汚損物が領域１−３へ跳ね返るのを防ぐことができる。
なお、突起部２ａの先端に軸部２に平行な面を設けないことが望ましい。先端部を平らにするのなら、この部分での跳ね返りが領域１−３に向かうことがないように、例えば、軸部２の長さを変える等の工夫が必要となる。また、突起部２ａの先端部と深溝笠１の内壁は放電しない程度の離隔距離を保つことが望ましい。
【００２６】
【発明の効果】
以上説明したように本発明においては、ケーブル端末や碍子に使用される深溝笠付き絶縁体の耐汚損性能を向上させることができ、使用中に発生する漏洩電流、フラッシュオーバーによる事故を防ぐことができる。
特に、ポリマー材料を使用した場合であっても、エロージョンやトラッキングによる損傷を防止することができ、また、軽量かつ耐汚損性にすぐれ、製造が容易な深溝笠付き絶縁体を得ることができる。
【図面の簡単な説明】
【図１】  深溝笠付き絶縁体の構成例を示す図である。
【図２】  図１の深溝笠、従来例の深溝笠において汚損物が下から吹き込んだ場合の汚損物の付着面積を説明する図である。
【図３】  深溝笠を高分子材料で形成した場合を示す図である。
【図４】  他の深溝笠付き絶縁体の構成例を示す図である。
【図５】  他の深溝笠付き絶縁体の構成例を示す図である。
【図６】  他の深溝笠付き絶縁体の構成例を示す図である。
【図７】  他の深溝笠付き絶縁体の構成例を示す図である。
【図８】  図７の変形例を示す図である。
【図９】  他の深溝笠付き絶縁体の構成例を示す図である。
【図１０】  本発明の実施例の深溝笠付き絶縁体の構成を示す図である。
【図１１】  図１０の実施例の深溝笠の付近を拡大した図である。
【図１２】  図１０の実施例の深溝笠表面における水滴に流れを説明する図である。
【図１３】  図１０の実施例の深溝笠の下方から雨等の汚損物が吹き込んだ場合を説明する図である。
【図１４】  図１０の実施例の深溝笠の斜め下方から雨等の汚損物が吹き込んだ場合を説明する図である。
【図１５】  図１０の実施例の深溝笠に突起部を設ける場合に、要求される突起部の高さを説明する図である。
【図１６】  突起部を設けた深溝笠に斜め下方から雨等の汚損物が吹き込んだ場合を説明する図である。
【図１７】  第１の従来例を示す図である。
【図１８】  第２の従来例を示す図である。
【符号の説明】
１      深溝笠
１ｂ    襞
１ａ    突起部
１−１  笠上部
１−２  筒状部分
１−３  汚損物の付かない領域
１−４  テーパー部
１−５  角部
１−６  裾部
１−７  水切り用リブ
１−８  深溝笠の上面
２      軸部
２ａ    突起部
３      溝
４      水平笠
５      第２の深溝笠
５ａ    水抜き穴
１０    ケーブル
１１    端子
１２    ケーブル絶縁体
１３    ブラケット
１４    すずめっき軟導線
【図１】
0004114994.tif 000002
【図２】
0004114994.tif 000003
【図３】
0004114994.tif 000004
【図４】
0004114994.tif 000005
【図５】
0004114994.tif 000006
【図６】
0004114994.tif 000007
【図７】
0004114994.tif 000008
【図８】
0004114994.tif 000009
【図９】
0004114994.tif 000010
【図１０】
0004114994.tif 000011
【図１１】
0004114994.tif 000012
【図１２】
0004114994.tif 000013
【図１３】
0004114994.tif 000014
【図１４】
0004114994.tif 000015
【図１５】
0004114994.tif 000016
【図１６】
0004114994.tif 000017
【図１７】
0004114994.tif 000018
【図１８】
0004114994.tif 000019